【手続補正書】
【提出日】平成23年5月18日(2011.5.18)
【手続補正１】
【補正対象書類名】明細書
【補正対象項目名】００１７
【補正方法】変更
【補正の内容】
【００１７】
ここに説明されるような眼科デバイスは、基板と、電気的活性化に対してデバイスの光透過率を一般的に約３０％〜９９％変更することが可能である液晶層を有していてよい。液晶層はピクセル化されてよく、デバイスは、液晶層のセグメントを所望のパターンに活性化することが可能であるコントローラーを有していてよい。着用されたとき、着用者のひとみに対して所定の位置にデバイスが固定されてよい。
【手続補正２】
【補正対象書類名】明細書
【補正対象項目名】００１８
【補正方法】変更
【補正の内容】
【００１８】
図面の簡単な説明
発明の相と特徴は、図と関連して続く詳細な説明からより完全に中へ理解され認められるであろう。なお、図は実尺どおりではなく、同様の参照数字は対応、類似または同様の素子を示している。
【図１】健康な人間の目の断面を示している。
【図２Ａ】動的開口を有する電気活性素子の分解断面側面図を示している。
【図２Ｂ】図２Ａの電気活性素子のたたみ込まれた断面側面図を示している。
【図２Ｃ】アポダイゼーションマスクを有する素子の分解断面側面図を示している。
【図２Ｄ】図２Ｃの素子のたたみ込まれた断面側面図を示している。
【図３Ａ】動的開口を作り出すために動作可能な複数の電極リングを示している。
【図３Ｂ】動的開口を作り出すために動作可能なピクセル化電極を有する動的開口の例を示している。
【図３Ｃ】動的開口を作り出すために動作可能なピクセル化電極を有する動的開口の例を示している。
【図３Ｄ】動的開口を作り出すために動作可能なピクセル化電極を有する動的開口の例を示している。
【図４Ａ】動的開口を有する電気活性素子の分解断面側面図を示している。
【図４Ｂ】図４Ａの電気活性素子のたたみ込まれた断面側面図を示している。
【図５】図３Ａに示された電極リングのいくつかの配列を示し、ここで動的開口の幾何学的中心は人のひとみの幾何学的中心に対して再位置決めされてよい。
【図６】図５に示されたリング電極の別の配列にそれぞれ使用されてよい五つの電気活性素子の積み重ねを示している。
【図７Ａ】図７Ａは、角膜インレーまたは角膜オンレーとして有用な動的開口を有するデバイスを示している。
【図７Ｂ】図７Ｂは、角膜インレーまたは角膜オンレーとして有用な動的開口を有するデバイスを示している。
【図７Ｃ】角膜インレーまたは角膜オンレーとして有用な動的開口を有するデバイスを示している。
【図８】目の前眼房に配置された、健康な老眼の水晶体と光通信状態にあるＩＯＯを示している。
【図９】目の前眼房に配置された、ＩＯＬと光通信状態にあるＩＯＯを示している。
【図１０】目の前眼房に配置された、遠方距離視力だけを修正するＩＯＬと光通信状態にあるＩＯＯを示している。
【図１１】目の前眼房に配置された、遠方距離視力と近方距離視力を修正するＩＯＬと光通信状態にある前眼房に配置されたＩＯＯを示している。
【図１２】目の前眼房に配置された、ＩＯＬと病気の光通信状態にあるＩＯＯを示している。
【図１３】目のひとみに最も近いＩＯＬの部分に動的開口を有するＩＯＬを示している。
【図１４】ＩＯＬの中央部分に動的開口を有するＩＯＬを示している。
【図１５】目の網膜に最も近いＩＯＬの部分に動的開口を有するＩＯＬを示している。
【図１６】健康な老眼の水晶体と光通信状態にある動的開口を有する角膜インレーを示している。
【図１７】ＩＯＬと光通信状態にある動的開口を有する角膜インレーを示している。
【図１８】日中にまたは明るい中で、ユーザーのひとみが収縮するとき、センサーが、光の増加を感知し、コントローラーが、電気活性素子中の動的開口を収縮させてよいことを示している。
【図１９】夜にまたは暗い中で、ユーザーのひとみが拡張されるとき、センサーが暗さを感知し、コントローラーが、電気活性素子中の動的開口を拡張させるか拡張維持させることを示している。
【図２０】たとえユーザーのひとみが拡張されても、暗い照明条件の中での近方距離作業のために電気活性素子中の動的開口が収縮されることが無効にされたセンサーとコントローラーの通常動作を示している。
【図２１】一つ以上の電気活性素子を有する折りたたまれた光学部品またはレンズを示している。
【手続補正３】
【補正対象書類名】明細書
【補正対象項目名】００４２
【補正方法】変更
【補正の内容】
【００４２】
液晶は、その屈折率を可視スペクトルにわたって電気的活性化に対して少なくとも０．１単位だけ変更してよい。ここに使用されるように、「可視スペクトル」は、約４００〜７５０ｎｍの範囲中の波長を有する光を指す。液晶（ＬＣ）層は、電気的活性化に対して光の光透過率を変更することが可能であるゲストホスト混合物を有していてよい。ここに使用されるように、層またはデバイスの光透過率は、層またはデバイスを通って伝搬され、吸収または散乱に奪われない光エネルギーのパーセンテージを指す。好ましくは、混合物は、活性化に対して少なくとも約３０％〜９９％だけ光透過率を変更することが可能である。前に説明されたように、液晶層はピクセル化されてよく、隣接部分の反応に影響を与えることなく、少なくとも約０．２５μｍ２の分離部分に電気的にアドレス可能であってよい。液晶層は、プロセッサと付随ソフトウェアなどのコンピューター化デバイスによって制御可能であってよく、それらは、プリプログラムされたか適応可能な手法で多数のセグメントに任意にアドレスすることが可能であってよい。ソフトウェアは、専用チップまたは特定用途のために構成された汎用チップなどのコンピューター判読可能媒体に永久的に収録されてよく、または、デジタル信号によって提供されてよい。ソフトウェアは、アポダイゼーションマスクを有する視力修正デバイス内に埋設されたデジタル信号処理ユニットに組み込まれていてよい。液晶層はまた、マスクまたはマスクを包含する視力修正デバイスが装着された患者の目の中へマスクを通って伝搬される光の振幅、位相または両者を変更または変調するパターンを生成するように構成またはプログラムされていてよい。
【手続補正４】
【補正対象書類名】明細書
【補正対象項目名】００４３
【補正方法】変更
【補正の内容】
【００４３】
図２Ａ〜２Ｄの液晶材料は、ネマチック液晶、ツイストネマチック液晶、スーパーツイストネマチック液晶、コレステリック液晶、スメクチック双安定液晶または任意の他のタイプの液晶材料であってよい。配向層は薄膜であり、それは、単なる例として、厚さ１００ナノメートルよりも小さくてよく、ポリイミド材料から構成されていてよい。薄膜は、液晶材料と直接接触する基板の表面に適用される。電気活性素子の組み立ての前に、薄膜はビロードなどの布で一方向（配向方向）に磨かれる。液晶分子が磨かれたポリイミド層に接するとき、液晶分子は優先的に基板の平面に横たわり、ポリイミド層がこすられた方向に（すなわち基板の表面に平行に）整列する。あるいは、配向層は感光材料から構成されてよく、それは、どれ、直線偏光にさらされたとき、磨かれた配向層が使用されたときと同じ結果を生み出す。
【手続補正５】
【補正対象書類名】明細書
【補正対象項目名】００５１
【補正方法】変更
【補正の内容】
【００５１】
電極２２５は、格子に配列された複数の個々にアドレス可能な電極であってよい。各電極は「ピクセル」と呼ばれ得る（この場合、電極は「ピクセル化」されたと呼ばれ得る）。ピクセルは任意のサイズまたは形状であってよい。ピクセルを選択的に電気的に活性化または不活性化することによって、開口２６０と円環２７０が形成され得る。
【手続補正６】
【補正対象書類名】明細書
【補正対象項目名】００５２
【補正方法】変更
【補正の内容】
【００５２】
環状電極のいくつかまたはすべてがピクセル化されてよく、または、電極リング、内側部またはそれらの組み合わせのさまざまな部分がピクセル化されてよい。図３Ｂと３Ｃは、ピクセル化電極の例を示している。たとえば、図３Ｂは、電極リング３１０，３２０，３３０，３４０のおのおのと内側領域３０１がピクセル化された構成を示している。いくつかの構成では、所望のサイズの円環を提供するために電極リングがリングとして活性化または不活性化されてよく、所望の形状および／またはサイズの開口を提供するために内側領域のピクセルが活性化または不活性化されてよい。別の例として、図３Ｃは、内側領域３０１だけがピクセル化され、電極リング３１０，３２０，３３０，３４０はそうでない構成を示している。ピクセルを選択的に活性化または不活性化することによって、任意の形状とサイズが円環と開口に提供され得る。特定の例として、図３Ｄの網掛けピクセル３０３を選択的に活性化または不活性化することによって、ほぼ楕円形状の開口が形成されてよい。網掛けピクセルの特定のセットは単なる例証であり、内側領域および／または電極リングのピクセルの適当な選択によって他の形状とサイズが形成されてよい。さらに詳しくここに説明されるように、特定の開口および／または円環は、目の変調伝達関数を最適化するなど、ユーザーの特定のニーズに合うように規定されてよい。
【手続補正７】
【補正対象書類名】明細書
【補正対象項目名】００５４
【補正方法】変更
【補正の内容】
【００５４】
このような関数は、Ｅ．Ｍ．グレンジャー、Ｋ．Ｎ．クペリー、「主観的判断と相関する光学的メリフ関数」フォトグル・サイ・アンド・エンジ、Ｖ．１６（３）、１９７２年、２２１〜３０頁（E.M. Granger and K.N. Cupery, "An Optical Merif Function (SQF) which Correlates with Subjective Judgments," Photogr. Sci. and Eng., v. 16 (3), 1972, p. 221-30）の中でさらに詳しく説明されている。主観的視覚に所望の改善を提供する開口の特定のサイズと形状は、ひとみサイズの関数としての視覚的ストレール（Strehl）などの視覚性能メートル法に基づいてメリット関数（ＳＱＦ）を最小化することによって決定されてよいことが発見された。このような計算は、特定の目のモデルの光線追跡を使用しておこなわれ得る。これらの計算をおこなうのにふさわしいモデルの特定の例は、この分野で知られている「インディアナ目」モデルとリウ・ブレナン目モデルを含んでいる。
【手続補正８】
【補正対象書類名】明細書
【補正対象項目名】００８５
【補正方法】変更
【補正の内容】
【００８５】
ここに開示されたような電気活性素子を収容しているレンズまたは光学部品は、この分野でよく知られており、ＩＯＬまたは角膜インレーのための使用される眼科材料で構成することが可能である。材料は、可撓性または非可撓とすることができる。たとえば、ＩＯＯは、たとえば適当な電極を有するポリエーテル、ポリイミド、ポリエーテルイミドまたはポリスルホン材料の二つのほぼ１００μｍ層、（二色性染料が添加されていてよい）液晶材料、省略可能な偏光層、電源、コントローラー、センサーおよび他の必要とされる電子機器から作られていてよい。各１００μｍ層は、電子機器と電気活性材料を間にはさんで収容する可撓性包袋を形成するために使用される。働く光学部品の総厚みはほぼ５００μｍ以下である。外径はほぼ９．０ｍｍ（任意の触覚を有さない）である。ＩＯＯは折りたたまれ、ほぼ２ｍｍ以下の小さい外科的切開部を介して目の中に挿入されることが可能であってよい。いくつかの構成では、目の前または後眼房に挿入された後にその適切な形状と位置にＩＯＯを広げることを助けるために形状記憶合金の薄層がＩＯＯの一部として利用される。